(57)【要約】      （修正有）【課題】ストリンガーに対する組み付けが簡単に行え、かつ、組み付けたときの体裁を良好なものとするルーバー取付金具の目隠し装置を提供する。【解決手段】前後の巾をストリンガー１の水平な棚板部１１の前後の巾に対応する巾に形成した天板３０に、高さをストリンガーの立上壁部１０の高さに対応する高さとした垂直な壁板３１を接続させて、左右方向に連続するアングル状のカバー３を形成し、天板３０の前縁部には、ストリンガーの立上壁部の上縁部に設ける係合部５に係脱自在に係合する係合部４を設け、垂直な壁板３１の下縁部には、ストリンガーの水平な棚板部の後縁部に設ける係合部７に係脱自在に係合する係合部６を設けて、カバーを、ストリンガーの上に被せ、係合部の係合によりストリンガーに組み付ける。【選択図】図４
0003194082.tif 000002
【実用新案登録請求の範囲】
【請求項１】
前後の巾をストリンガー（１）の水平な棚板部（１１）の前後の巾に対応する巾に形成した天板（３０）の後縁部に、高さをストリンガー（１）の立上壁部（１０）の高さに対応する高さとした垂直な壁板（３１）の上縁部を接続させて、アングル状の断面形状をもって左右方向に連続するアングル状のカバー（３）を形成し、該カバー（３）の天板（３０）の前縁部には、ストリンガー（１）の立上壁部（１０）の上縁部に設けておく係合部（５）に対し係脱自在に係合する係合部（４）を設け、該カバー（３）の垂直な壁板（３１）の下縁部には、ストリンガー（１）の水平な棚板部（１１）の後縁部に設けておく係合部（７）に対し係脱自在に係合する係合部（６）を設けて、該カバー（３）を、ストリンガー（１）の上に被せ、係合部の係合によりストリンガー（１）に組み付けることで、該カバー（３）がストリンガー（１）と組み合って、ルーバーの取付金具（２）の頭部を内部空間に囲い込んだ角筒体を組み立てるようにしたことを特徴とするルーバーの取付構造におけるルーバー取付金具の目隠し装置。
【請求項２】
ストリンガー（１）の立上壁部（１０）の上縁部に設ける係合部（５）を、立上壁部（１０）の後面の上部から後方に向けて突条状に突出して下面側に係合面を備える係合突起（５０）に形成して、その係合突起（５０）の突出端部の上面側に、前方上方から後方下方に向け下降傾斜する傾斜誘導面（５１）を形成して構成し、前記係合部（５）に対し係合させるようカバー（３）の天板（３０）の前縁部に設ける係合部（４）を、天板（３０）の下面に設けた支持部材の下端部から前方に向けて突条状に突出し、上面側に前記係合突起（５０）の下面側の係合面に対し衝合して係合する係合面を備える係合突起（４０）に形成し、その係合突起（４０）の突出端部の下面側に、前方上方から後方下方に向けて傾斜する傾斜誘導面（４１）を形設して構成したことを特徴とする請求項１記載のルーバーの取付構造におけるルーバー取付金具の目隠し装置。
【請求項３】
カバー（３）の垂直な壁板（３１）の下縁部に設ける係合部（６）を、垂直な壁板（３１）の下縁部から垂下する支持部材（６０）の下端に後方に向け突出する鉤片（６１）を設けたフックに形成し、前記係合部（６）に対し係合させるようストリンガー（１）の水平な棚板部（１１）の後縁部に設ける係合部（７）を、その棚板部（１１）の後縁部に立設する支持部材（７０）から前方に突出する鉤片（７１）に形成したことを特徴とする請求項１記載のルーバーの取付構造におけるルーバー取付金具の目隠し装置。
【請求項４】
ストリンガー（１）の水平な棚板部（１１）の後縁部の上面側に、カバー（３）の垂直な壁板（３１）の下縁部に設けた鉤片（６１）を、前記ストリンガー（１）の水平な棚板部（１１）の後縁部に設けた鉤片（７１）の下方に向けて誘導する誘導溝（Ｙ）を設けたことを特徴とする請求項１記載のルーバーの取付構造におけるルーバー取付金具の目隠し装置。
【考案の詳細な説明】
【技術分野】
【０００１】
本考案は、建物の内面側または外面に、内装または外装として装設するルーバー（よろい格子）を、建物に取り付けるための、ルーバーの取付構造において、ルーバーを、ストリンガーに組み付けるルーバー取付金具のまわりを覆い隠す目隠し手段に関する。
【背景技術】
【０００２】
建物の外面に、図１に示している如く外装として取り付けるルーバーＬの、建物に対する取付手段は、通常、建物の外面側に、角筒状に成形した胴縁ａを、適宜の間隔をおいて並列させて取り付けておき、これら胴縁ａのそれぞれの外端面に、図２にあるよう、側面視においてアングル状をなすストリンガーブラケットｂを、取付ボルトｃを介して、それぞれ取り付け、これらストリンガーブラケットｂの水平な棚板部の上に、側面視における形状を、水平な棚板部１１と垂直な立上壁部１０とでアングル状としたストリンガー１を載架して、取付ボルトｄによりストリンガーブラケットｂに取り付け固定し、この取り付けたストリンガー１の立上壁部１０の外面側に、ルーバーＬの各ルーバー材ｌを、立上壁部１０に所定のピッチで形成してある切欠溝１２の規制に従い当接し、各切欠溝１２に嵌挿する取付金具２によりルーバー材ｌをストリンガー１に組み付けることで、ルーバーＬの建物に対する取り付けが行われるように構成されている。
【０００３】
従って、建物の外面に取り付けられたルーバーＬは、これを裏側（建物側）から見たときには、各ルーバー材ｌをストリンガー１に取り付けているそれぞれの取付金具２の頭部２０がストリンガー１の上面側に並列して露出している状態となり、見苦しいものとしている。
【０００４】
このことから、このルーバーＬの取付構造には、各ルーバー材ｌをストリンガー１の上面側に露出して並列している取付金具２の頭部２０を、覆い隠すカバーの付設が望まれている。
【０００５】
しかし、ストリンガー１にルーバー材ｌを組み付けた取付金具２の頭部２０を覆い隠すように、カバーをストリンガー１に組み付ける際には、次の問題が生じてくる。
【０００６】
第１には、ルーバーＬの組み立ては、ルーバーＬを建物に取り付ける施工現場において行われることで、組み立てられたルーバーＬのストリンガー１に対するカバーの組み付け作業を、ルーバーＬを建物に取り付ける施工現場において行うようになるので、カバーをストリンガー１に組み付けるための組付構造・機構に制約が生じ、また、組み付けのための充分な作業空間が得られない制約があることから、カバーの取り付けを厄介なものとする点である。
【０００７】
第２には、カバーは、組み立てられたルーバーの、ルーバー材ｌをストリンガー１に取り付けている取付金具２の頭部２０が、露出していることにより体裁を見苦しくしているのを解消せしめるために取り付けるのであるから、取り付けたことで、体裁を崩すものであってはならないが、カバーを、ストリンガー１に組み付けたときに体裁を良くする形態に形成するのがむずかしい点である。
【考案の概要】
【考案が解決しようとする課題】
【０００８】
本考案において、解決しようとする課題は、ルーバーＬの並列している各ルーバー材ｌをそれぞれストリンガー１に取り付けられている取付金具２の頭部２０を覆い隠すように、ストリンガー１に組み付けるカバーを、ストリンガー１に対する組み付けが簡単に行え、かつ、ストリンガー１に組み付けたときの体裁を良好なものとするように構成する点にある。
【課題を解決するための手段】
【０００９】
本考案においては、上述の課題を解決するための手段として、
前後の巾をストリンガー１の水平な棚板部１１の前後の巾に対応する巾に形成した天板３０の後縁部に、高さをストリンガー１の立上壁部１０の高さに対応する高さとした垂直な壁板３１の上縁部を接続させて、アングル状の断面形状をもって左右方向に連続するアングル状のカバー３を形成し、該カバー３の天板３０の前縁部には、ストリンガー１の立上壁部１０の上縁部に設けておく係合部５に対し係脱自在に係合する係合部４を設け、該カバー３の垂直な壁板３１の下縁部には、ストリンガー１の水平な棚板部１１の後縁部に設けておく係合部７に対し係脱自在に係合する係合部６を設けて、該カバー３を、ストリンガー１の上に被せ、係合部の係合によりストリンガー１に組み付けることで、該カバー３がストリンガー１と組み合って、ルーバーの取付金具２の頭部を内部空間に囲い込んだ角筒体を組み立てるようにしたことを特徴とするルーバーの取付構造におけるルーバー取付金具の目隠し装置を提起するものである。
また、これに併せて、ストリンガー１の立上壁部１０の上縁部に設ける係合部５を、立上壁部１０の後面の上部から後方に向けて突条状に突出して下面側に係合面を備える係合突起５０に形成して、その係合突起５０の突出端部の上面側に、前方上方から後方下方に向け下降傾斜する傾斜誘導面５１を形成して構成し、前記係合部５に対し係合させるようカバー３の天板３０の前縁部に設ける係合部４を、天板３０の下面に設けた支持部材の下端部から前方に向けて突条状に突出し、上面側に前記係合突起５０の下面側の係合面に対し衝合して係合する係合面を備える係合突起４０に形成し、その係合突起４０の突出端部の下面側に、前方上方から後方下方に向けて傾斜する傾斜誘導面４１を形設して構成したことを特徴とするルーバーの取付構造におけるルーバー取付金具の目隠し装置、及び
カバー３の垂直な壁板３１の下縁部に設ける係合部６を、垂直な壁板３１の下縁部から垂下する支持部材６０の下端に後方に向け突出する鉤片６１を設けたフックに形成し、前記係合部６に対し係合させるようストリンガー１の水平な棚板部１１の後縁部に設ける係合部７を、その棚板部１１後縁部に立設する支持部材７０から前方に突出する鉤片７１に形成したことを特徴とするルーバーの取付構造におけるルーバー取付金具の目隠し装置、及び
ストリンガー１の水平な棚板部１１の後縁部の上面側に、カバー３の垂直な壁板３１の下縁部に設けた鉤片６１を、前記ストリンガー１の水平な棚板部１１の後縁部に設けた鉤片７１の下方に向けて誘導する誘導溝Ｙを設けたことを特徴とするルーバーの取付構造におけるルーバー取付金具の目隠し装置を提起するものである。
【考案の効果】
【００１０】
本考案によれば、カバー３は、それの天板３０の前縁部に設けた係合部４を、ストリンガー１の立上壁部１０の上縁部に設けた係合部５に係合させ、垂直な壁板３１の下縁部に設けた係合部６を、ストリンガー１の水平な棚板部１１の後縁部に設けた係合部７に係合させることで、ストリンガー１の上面側に組み付けられるから、ストリンガー１に対するカバーの組み付けが簡単に行え、また、カバーをストリンガー１に組み付けることで、カバーとストリンガー１とが組み合って角筒を形成するようになり、カバーの存在を意識させず、ストリンガー１を角筒とした形態とするので、体裁をすこぶる良いものとする。
【図面の簡単な説明】
【００１１】
【図１】ルーバーを建物の外面側に取り付けた状態の説明図である。
【図２】ルーバーの取付構造の縦断した側面図である。
【図３】建物躯体に対する取付施工が終えて、組み立てられたルーバーの裏側から見た斜視図である。
【図４】本考案を実施せるルーバーの取付構造の要部の縦断した側面図である。
【図５】同上のルーバーの取付構造において、ストリンガーに組み付けられるカバーの、一部省略した斜視図である。
【図６】同上のカバーを組み付けるストリンガーが一部省略した斜視図である。
【考案を実施するための形態】
【００１２】
次に、実施の態様を実施例につき図面に従い説明する。
【実施例１】
【００１３】
図４は、本考案を実施せるルーバーの取付構造の要部の縦断した側面図である。図において、ａは建物の外面側に設けられる胴縁、ｂはその胴縁ａの外面側の端壁に取付ボルトｃにより取り付けたストリンガーブラケット、１はそのストリンガーブラケットｂに取付ボルトｄにより取り付けたストリンガー、ｌはストリンガーブラケット１の垂直な立上壁部１０の前面側（外面側）に当接して取付金具２によりストリンガー１に対し取り付け固定したルーバー材、３はルーバー材ｌをストリンガー１に取り付けている取付金具２の頭部２０を覆い隠すようストリンガー１の上面側に組み付けたカバーを示す。
【００１４】
カバー３は、図５に示している如く、天板３０と、その天板３０の後端部から垂下する垂直な壁板３１とで、側面視においてアングル状をなす形状に形成してある。そして、それの天板３０は、前後の巾がストリンガー１の水平な棚板部１１の前後巾に対応する巾に形成してあり、また垂直な壁板３１は、それの高さｈが、ストリンガー１の立上壁部１０の高さｈ’と対応する高さに形成してある。
【００１５】
ストリンガー１は、立上壁部１０と水平な棚板部１１とで、側面視においてアングル状をなす形態に形成してよいものであるが、この例においては、水平な棚板部１１の下面側に、取付ボルトｄの頭部ｄ’を嵌合させるための嵌合レール８が装設されたものとしている。
【００１６】
そして、カバー３には、ストリンガー１に対し該カバー３を装脱自在に組み付けるための手段として、天板３０の前縁部に、ストリンガー１の立上壁部１０に設けておく係合部５に対し係脱自在に係合する係合部４を設け、また、垂直な壁板３１の下縁部には、ストリンガー１の水平な棚板部１１の後縁部に設けておく係合部７に対し係脱自在に係合する係合部４を設けている。
【００１７】
これらカバー３及びストリンガー１に設ける係合部は、対向する係合部同志が、係脱自在に係合し合うようになればよく、適宜の形状・構造のものに形成してよいものであるが、この実施例においては、ストリンガー１の立上壁部１０の上縁部に設ける係合部５にあっては、立上壁部１０の後面の上部から後方に向けて突条状に突出して下面側に係合面を備える係合突起５０に形成し、かつ、その係合突起５０の突出端部の上面側には、前方上方から後方下方に向けて下降傾斜する傾斜誘導面５１を形設した構成のものとし、カバー３の天板３０の前縁部に設ける係合部４にあっては、天板３０の下面に設けた支持部材の下縁部から前方に向けて突条状に突出し、上面側に前記係合突起５０の下面側の係合面に対し衝合して係合する係合面を備える係合突起４０に形成し、この係合突起４０の突出端部の下面側に、前方上方から後方に向けて傾斜する傾斜誘導面を設けた構成のものとし、これにより、カバー３をストリンガー１の上面側に被せると、カバー３の天板３０の前縁部に設けた係合部４が、ストリンガー１の立上壁部１０の上縁部に設けた係合部５の上に、傾斜誘導面４１と傾斜誘導面５１とを衝合させた状態となって載るようになる。
【００１８】
この状態となったところで、カバー３の天板３０の前端側を強く下方に押し込むと、傾斜誘導面４１・５１の誘導作動で、天板３０の前端部が、後方にずれながら下降し、傾斜誘導面の衝合が外れたところで、前方に復元移動して係合突起４０と係合突起５０との係合が完結するようになるので、カバー３の組み付け作業を容易にする。
【００１９】
また、カバー３の垂直な壁板３１の下端部に設ける係合部６及びストリンガー１の水平な棚板部１１の後縁部に設ける係合部７は、カバー３の垂直な壁板３１の下端部に設ける係合部６にあっては、垂直な壁板３１の下縁部に支持部材６０の下端部に後方に突出する鉤片６１を設けたフックに形成し、この係合部６と係合させるようストリンガー１の水平な棚板部１１の後縁部に設ける係合部７にあっては、その後縁部に立設した支持部材７０から前方に突出する鉤片７１に形成している。
【００２０】
このため、カバー３に設けた鉤片６１をストリンガー１に設けた鉤片７１に対し引き掛けるだけで係合が完了し、かつ、係合させた状態で、それの係合点中心にカバー３の前端側を上下に回動させることで、カバー３の前端側の係止が行えるようになるから、カバー３のストリンガーに対する組み付けは容易になる。
【００２１】
また、ストリンガー１の水平な棚板部１１の上面側には、該棚板部１１の後縁部に設けた鉤片７１より前方に寄る部位に、鉤片７１の下方に向けて下降傾斜する誘導溝Ｙを形設しておく場合がある。このように誘導溝Ｙを設けることで、カバー３に設けた鉤片６１をストリンガー１に設けた鉤片７１に引き掛けて係合させるときに、鉤片６１を誘導溝Ｙに沿い下降させて、誘導溝Ｙのエンドに突き当たったところで引き上げれば、鉤片６１が鉤片７１と係合した状態となるので、カバー３のストリンガー１に対する組付作業を容易なものとする。
【符号の説明】
【００２２】
Ｌ    ルーバー
Ｙ    誘導溝
ａ    胴縁
ｂ    ストリンガーブラケット
ｃ  ｄ    取付ボルト
ｄ’  取付ボルトの頭部
ｈ    垂直な壁板の高さ
ｈ’  立上壁部の高さ
ｌ    ルーバー材
１    ストリンガー
２    取付金具
３    カバー
４    天板の前縁部に設けた係合部
５    立上壁部の上縁部に設けた係合部
６    垂直な壁板の下縁部に設けた係合部
７    水平な棚板部の後縁部に設けた係合部
８    嵌合レール
１０    立上壁部
１１    棚板部
１２    切欠溝
２０    取付金具の頭部
３０    天板
３１    垂直な壁板
４０  ５０    係合突起
４１  ５１    傾斜誘導面
６０  ７０    支持部材
６１  ７１    鉤片
【図１】
0003194082.tif 000003
【図２】
0003194082.tif 000004
【図３】
0003194082.tif 000005
【図４】
0003194082.tif 000006
【図５】
0003194082.tif 000007
【図６】
0003194082.tif 000008